(57)【特許請求の範囲】
【請求項１】
貫通孔（４）を有し歯根管（１１）に固定される芯部材（１）と、前記芯部材に挿入されるポスト（７）とを含む歯根管アンカ組立体において、
前記芯部材が、歯冠部（３）、及び前記歯根管に固定されるアンカ部（２）を含んでおり、前記アンカ部（２）の表面が、実質的に双曲線形状を有し、
前記ポスト（７）が、前記芯部材（１）の前記貫通孔（４）に摺動可能に嵌合する円筒部（８）を有し、該円筒部（８）に続いて、双曲線形状の表面（９）を有するポスト・アンカ部を有することを特徴とする歯根管アンカ組立体。
【請求項２】
前記芯部材（１）の前記歯冠部（３）が、実質的に双曲線形状を有する表面（５）を有していることを特徴とする、請求項１に記載された歯根管アンカ組立体。
【請求項３】
前記芯部材及び前記ポストが、ガラス繊維強化複合材料でできていることを特徴とする、請求項１または請求項２までのいずれか１項に記載された歯根管アンカ組立体。
【請求項４】
前記双曲線は、
【数１】
0005405013.tif 000004
の式による１枚の回転双曲線であり、該式中ａ＝ｂであり、漸近線は角度
【数２】
0005405013.tif 000005
を有するものとして規定されることを特徴とする、請求項１から請求項３までのいずれか１項に記載された歯根管アンカ組立体。
【請求項５】
前記芯部材は、ａ＝ｂであり、前記芯部材の最大直径（Ｒ５）が３〜５ｍｍ、前記歯冠部の表面の最小直径（Ｒ１）が２〜４ｍｍ、前記アンカ部の表面の最小直径（Ｒ２）が１．５〜３ｍｍ、前記双曲線形状を有する表面（５）の開示点と前記芯部材の最大直径（Ｒ５）部との間の距離（Ｄ１）が１．５〜３ｍｍ、及び前記最大直径（Ｒ５）部と前記アンカ部の端部（Ｒ２）との間の距離（Ｄ２）が１．５〜３ｍｍである、請求項１から請求項４までのいずれか１項に記載された歯根管アンカ組立体。
【請求項６】
前記ポストは、ａ＝ｂであり、前記円筒部（８）の直径（Ｒ３）が１．３〜１．７ｍｍ、前記ポストの端部の直径（Ｒ４）が０．３〜０．７ｍｍ、Ｒ３とＲ４との間の距離（Ｄ３）が８〜１２ｍｍである、請求項１から請求項５までのいずれか１項に記載された歯根管アンカ組立体。
【請求項７】
前記芯部材（１）の前記アンカ部（２）と同じ穿孔又は拡孔表面（Ｄ２）を有するドリル又はリーマ（１３）と、前記歯根管に挿入される前記ポスト部（７）と同じ穿孔又は拡孔表面（９）を有するドリル又はリーマ（１４）とをさらに備えていることを特徴とする、請求項１から請求項６までのいずれか１項に記載された歯根管アンカ組立体。
【発明の詳細な説明】
【技術分野】
【０００１】
本出願は、特許請求の範囲の独立請求項１の前提部で規定された歯根管アンカ（固定）組立体に関するものである。
【背景技術】
【０００２】
歯根管ポスト、ねじ又はアンカは、約１７５０年以来、歯科の分野に存在していた。これらの物品は、歯根管内に挿入され、プラスチック材料を使用して行わなければならなかった破損した歯冠の修復のための保持又は固定として働くものである。
【０００３】
歯科医がプラスチック材料に芯を作る必要を無くすため、従来のポストに加えて、固定歯冠芯を有するポストが１９００年代初めに導入された。デービス（Ｄａｖｉｓ）ポストは約１９２０年であり、クーラー（Ｋｕｒｅｒ）歯冠ポストは約１９７０年である。これらはすべて、歯冠芯として働く大きな円筒又はヘッド部と、歯冠部の底部に取り付けられるポスト又はアンカ部とからなり、アンカ部が歯根管内に挿入されるようになっている。
【０００４】
これらのポストには、すべて、ヘッドとはるかに狭い根部との間の接合部が破断するという欠点を有している。また、端部で切断する以外に歯根ポストの長さを調節することができないため、この部分に設けられた特別な機構が切断される危険を伴っている。また、ねじ切りされた合い釘は破砕する傾向があり、またきつく嵌合された合い釘は固定されると横方向の力を加える傾向があることが知られている。
【０００５】
歯根管治療の別の観点としては、ポストにより歯根管を最終的に閉じる前に、準備及び修復するために歯根管へアクセスする必要がある。このため、歯根管よりも大きな直径の孔を有するインサート又はスリーブが、歯に固定される。最後の治療の後に、ポストがスリーブの孔内に挿入される。このスリーブは、ゴム製のダムを固定するようにも働くことができる。
【０００６】
欧州特許出願公開第０２４５８７８号（Ａ２）（特許文献１）及び欧州特許出願公開第０１１３７９２号（Ａ１）（特許文献２）は、本発明の請求項１の前提部に記載された歯根管アンカ組立体を開示しており、貫通孔を有する芯部材またはスリーブが、歯根管の周りに延材する対応する孔内に固定される。やはり貫通孔を有するポストは、スリーブ内に挿入され、歯根管内に固定される。開示されたスリーブは、つばを備えた円筒形であり、ポストは円錐形アンカ部を有する従来のものである。開示されたスリーブの形状は、比較的大きな直径を有する円筒形孔を穿孔する必要があり、歯の脆弱化につながる。
【特許文献１】欧州特許出願公開第０２４５８７８号明細書
【特許文献２】欧州特許出願公開第０１１３７９２号明細書
【発明の開示】
【発明が解決しようとする課題】
【０００７】
この公知の従来技術から始まり、本発明の目的は、その芯部材が歯をあまり脆弱化させないで優れた固定を可能にする形状を有する歯根管アンカ組立体（集合体）を提供することである。
【課題を解決するための手段】
【０００８】
この目的は、特許請求の範囲の独立請求項１による組立体によって達成される。
【０００９】
本発明の別の目的は、その形状により破断の危険性がかなり小さくなるポストを提供することである。この目的は、特許請求の範囲の従属請求項３によって達成される。別の利点及び目的は、特許請求の範囲の別の従属請求項によって規定されている。
【実施例】
【００１０】
以下、例示的な実施例の図面を参照して、本発明をより詳細に説明する。
【００１１】
図１の芯部材１は、図４をも参照すると、アンカ（固定）部表面２、歯冠部表面３、および貫通孔４を有している。歯冠部表面３は、歯冠等を受ける円錐部４を有し、続いて、双曲線形を有する遷移（ｔｒａｎｓｆｅｒ）部５があり、遷移部は、芯部材の最も大きい直径を有するリング面６で終端する。アンカ部表面２も双曲線形状を有する。
【００１２】
両方の双曲線は、１つのシートからなる回転双曲線である。これらの回転双曲線は以下の式で定義される。
【数１】
0005405013.tif 000002
ここで、ａ＝ｂである。双曲線の開き、すなわちそれぞれ漸近線間の角度αは以下の式で定義される。
【数２】
0005405013.tif 000003
【００１３】
ａ＝ｂである、この芯部材の場合、これらの値は以下に与えられるパラメータに基づき算出できる。
【００１４】
建築の分野では、双曲線は１９世紀から知られており、現代では、原子力発電所の煙突も双曲線形状をしているものがある。
【００１５】
図４から分かるように、双曲線形状を有するアンカ部表面２は、歯根管の壁面を移動させる必要性が最小限であり、それによって歯根管の脆弱化の発生を最小にするという利点を有する。
【００１６】
表面３の双曲線形状によって、歯冠にかかる力が芯部材へよりよく伝えられる。
【００１７】
歯冠部表面２でのａ＝ｂ及びｃの値は、アンカ部表面３とは、必ずしも同じである必要のないことが理解される。
【００１８】
例として、リング面６の最大直径Ｒ５及び歯冠部表面２の最小直径Ｒ１、及びアンカ部表面３の最小直径Ｒ２の値は、以下の通りである。
Ｒ１＝２〜４ｍｍ
Ｒ２＝１．５〜３ｍｍ
Ｒ５＝３〜５ｍｍ
【００１９】
遷移部５の始まりとリング面６との間の距離Ｄ１は１．５〜３ｍｍとすることができ、リング面６と芯部材の端部との間の距離Ｄ２は１．５〜３ｍｍとすることができる。
【００２０】
ポスト（支柱）７は、芯部材の孔４内に挿入される円筒部８を有し、円筒部８に続いてアンカ部９を有する。アンカ部９の表面も、以下の値を有するａ＝ｂの双曲線形状を有することができる。
Ｒ３＝１〜３ｍｍ
Ｒ４＝０．３〜０．７ｍｍ
【００２１】
Ｒ３とＲ４との間の距離Ｄ３は、８〜１２ｍｍである。
【００２２】
歯冠部及びアンカ部、及びポストの双曲線表面は、圧力又は応力の最適な分配を可能にし、ポスト、芯部材、又は歯根の崩壊を防ぐ。
【００２３】
図４では、組み立てられた芯部材及びポストが、歯１２の歯根管１１内に固定されて示されている。
【００２４】
組立体全体は、芯部材のアンカ部の形状に一致する双曲線形状を歯根管に与える、芯部材部１と同じ形状を有する拡孔部又は穿孔部２Ｄを備えた較正されたドリル又はリーマ１３と、その穿孔部又は拡孔部９Ｄがポストのアンカ部９に一致する較正されたドリル又はリーマ１４とを含む。
【００２５】
本発明の組立体によれば、多種の使用例が可能である。
１）ポストを、歯根管への挿入前に芯部材内に固定及び接合させることができ、それによって、その長さを調節して、それぞれ歯冠部内の芯部材と同じ長さを有するようにすることが可能である。
２）ポストを歯根管に最初に挿入することができ、その後、芯部材には歯根管の上部の準備された座部に到達するまでポストが滑り（摺動して）落とされる。
３）最初に芯部材を歯根管内で固めることができ、ポストを歯根管の貫通孔４内を滑り（摺動して）落とすことができ、ポストの円筒部８の長さを調節した後に、孔４内で固められる。
４）いくつかの場合では、特定の歯根又は多数の歯根を有する歯内で芯部材を使用することなく、ポストだけを使用することができる。
【００２６】
従来技術で知られているように、金属、通常はステンレス鋼により芯部材及びポストを作ることが可能であるが、例えば、同じ出願人の米国特許出願公開第６４０２５１９号に開示されているように、ガラス繊維強化複合材料によりこれらの部材を作ることが好ましい。
【図面の簡単な説明】
【００２７】
【図１】本発明による芯部材の具体例を示す略図。
【図２】本発明によるポストを示す図。
【図３】図２のポストを図１の芯部材に挿入したものを示す図。
【図４】歯根管に固定された図３の組立体を示す図。
【図５】本発明によるドリルを示す略図。
【図６】本発明によるリーマを示す略図。
【図１】
0005405013.tif 000006
【図２】
0005405013.tif 000007
【図３】
0005405013.tif 000008
【図４】
0005405013.tif 000009
【図５】
0005405013.tif 000010
【図６】
0005405013.tif 000011